(57)【要約】【課題】通信端末装置からパケット品質情報を送信しなくても基地局装置が通信端末装置におけるパケットの受信品質を推定し、パケットの受信品質に基づいて再送時に必要な送信電力を決定すること。【解決手段】送信先決定部３０１は、パケット伝送用制御信号よりパケットを送信する候補となる各通信端末装置を選択し、選択した各通信端末装置からのＣＱＩ信号に基づいて送信先装置を決定する。パケット品質推定部３０３は、ＣＱＩ信号に基づいて送信先装置における受信パケットの品質を推定し、推定結果に基づいて再送時に目標パケット品質を達成するための要求パケット品質を算出する。送信電力決定部３０４は、送信先装置からＡＣＫ信号を受信した場合には送信電力を所定値に設定し、ＮＡＣＫ信号を受信した場合に要求パケット品質を満たすように送信電力を決定する。【選択図】　　　図３
2004112597.tif 000002
【特許請求の範囲】
【請求項１】
パケット送信先の通信端末装置から送信された下り回線状態を示す回線状態報告値を受信する受信手段と、前記回線状態報告値に基づいて前記通信端末装置における前記パケットの受信品質を推定する受信品質推定手段と、を具備することを特徴とする基地局装置。
【請求項２】
パケットの送信電力を制御する送信電力制御手段を具備し、前記受信品質推定手段は、推定したパケットの受信品質に基づいて再送時に目標パケット品質を達成するための要求パケット品質を算出し、前記送信電力制御手段は、算出された要求パケット品質に基づいてパケット再送時の送信電力を設定することを特徴とする請求項１記載の基地局装置。
【請求項３】
パケット送信チャネルと共通制御チャネルとの送信電力の差からオフセットを算出するオフセット算出手段を具備し、前記受信品質推定手段は、算出されたオフセットを考慮して要求パケット品質を算出することを特徴とする請求項２記載の基地局装置。
【請求項４】
前記受信品質推定手段は、過去に受信した複数の回線状態報告値の平均値に基づいてパケットの受信品質を推定することを特徴とする請求項１から請求項３のいずれかに記載の基地局装置。
【請求項５】
前記受信品質推定手段は、過去に受信した複数の回線状態報告値からパケットの受信品質を予測推定することを特徴とする請求項１から請求項３のいずれかに記載の基地局装置。
【請求項６】
再送時と初回送信時とでターボ符号におけるシステマティックビットとパリティビットの優先度あるいは送信するパリティビットを切替える方式を用いる場合であって、前記受信品質推定手段により推定されたパケットの受信品質に基づいてシステマティックビットとパリティビットのどちらを優先して送信するかを決定する符号化優先度決定手段を具備することを特徴とする請求項１から請求項５のいずれかに記載の基地局装置。
【請求項７】
前記符号化優先度決定手段は、システマティックビットが十分な品質で受信された場合にはパリティビットを優先して再送することを特徴とする請求項６記載の基地局装置。
【請求項８】
前記符号化優先度決定手段は、システマティックビットが十分な品質で受信されない場合にはシステマティックビットを優先して再送することを特徴とする請求項６又は請求項７記載の基地局装置。
【請求項９】
パケット送信先の装置から送信された回線状態を示す回線状態報告値に基づいて前記パケットの受信品質を推定することを特徴とするパケット品質推定方法。
【請求項１０】
請求項９記載のパケット品質推定方法により推定したパケットの受信品質に基づいて再送時に目標パケット品質を達成するための要求パケット品質を算出し、要求パケット品質に基づいてパケット再送時の送信電力を設定することを特徴とするパケット送信電力制御方法。
【発明の詳細な説明】
【０００１】
【発明の属する技術分野】
本発明は、下り高速パケット伝送を行う無線通信システムに用いられる基地局装置及びパケット品質推定方法に関する。
【０００２】
【従来の技術】
無線通信の分野では、高速大容量な下りチャネルを複数の通信端末装置が共有し、基地局装置から通信端末装置にパケットを伝送する下り高速パケット伝送方式が開発されている。下り高速パケット伝送方式では、伝送効率を高めるために、スケジューリング技術及び適応変調技術が用いられている。
【０００３】
スケジューリング技術とは、基地局装置がタイムスロット毎に下り高速パケットの送信先となる通信端末装置（以下、「送信先装置」という）を設定し、送信先装置に送信するパケットを割り当てる技術である。また、適応変調技術とは、パケット送信する通信端末装置の伝搬路の状態に応じて適応的に変調方式あるいは誤り訂正符号化方式（ＭＣＳ：　Ｍｏｄｕｌａｔｉｏｎ　ａｎｄ　Ｃｏｄｉｎｇ　Ｓｃｈｅｍｅ）を決定する技術である。
【０００４】
また、高速パケット伝送を行う無線通信システムでは、データの受信性能の向上を図るためにＡＲＱ（Ａｕｔｏｍａｔｉｃ　Ｒｅｐｅａｔ　Ｒｅｑｕｅｓｔ）、特に、Ｈ−ＡＲＱ（Ｈｙｂｒｉｄ−Ａｕｔｏｍａｔｉｃ　Ｒｅｐｅａｔ　Ｒｅｑｕｅｓｔ）が用いられている。ＡＲＱとは、受信側装置で誤りが検出されたデータ単位（フレーム）を送信側装置が再送信する処理を自動的に行う技術であり、Ｈ−ＡＲＱは、送信側装置が再送時に特定のビットのみを選択して受信側装置に送信し、受信側装置において再送信号と既受信信号とを合成する技術である。
【０００５】
以下、高速パケット伝送を行う無線通信システムの基地局装置及び通信端末装置の動作について概説する。
【０００６】
基地局装置は、各通信端末装置から送信された下り回線状態の報告値に基づいて回線品質を予測し、最も回線品質が良い通信端末装置を送信先装置として、各タイムスロットにその送信先装置へのパケットを割り当てる。そして、基地局装置は、スケジューリング結果を示す情報及びスケジューリングにより定めた方式でパケットを誤り訂正符号化及び変調して送信先装置に送信する。
【０００７】
各通信端末装置は、受信したスケジューリング結果を示す情報に基づいて、自局宛のパケットが割り当てられたタイムスロットにおいて復調を行い、ＣＲＣ検出等を行って、パケットデータを正しく復調できた場合にはこれを示すＡＣＫ信号を、パケットデータを正しく復調できなかった場合にはこれを示すＮＡＣＫ信号を基地局装置に送信する。
【０００８】
基地局装置は、ＡＣＫ信号を受信すると新規データを送信し、ＮＡＣＫ信号を受信すると同一データを再送信する。
【０００９】
このように、下り高速パケット伝送方式は、セクタ内に存在する全ての通信端末装置で１つのチャネルを共有して効率的にパケットを伝送するので、コードリソースを有効活用することができる。
【００１０】
ここで、Ｈ−ＡＲＱの再送においてスループットの向上および基地局装置送信電力を低減するための従来技術として、ＭＬ−ＡＲＱ（Ｍｕｌｔｉ　Ｌｅｖｅｌ−Ａｕｔｏｍａｔｉｃ　Ｒｅｐｅａｔ　Ｒｅｑｕｅｓｔ）と呼ばれる技術が、例えば下記非特許文献１に開示されている。この技術は、通信端末装置が、受信パケットに誤りが検出された場合に受信パケットの品質の良し悪し（誤りが少ない／多い）を示すパケット品質情報をＮＡＣＫ信号に付加して基地局装置に報告し、基地局装置がパケット品質情報に基づいて適切な送信電力で再送を行うものである。なお、上記文献において適応変調は仮定されていない。
【００１１】
【非特許文献１】
”「静特性におけるマルチレベルＡＲＱの一検討」，２００２年電子情報通信学会総合大会，Ｂ−５−１１７”
【００１２】
【発明が解決しようとする課題】
しかしながら、適応変調を用いたシステムにＭＬ−ＡＲＱを適用する場合、通信端末装置がＡＣＫ／ＮＡＣＫおよびパケット品質情報を多値化して基地局装置に送信する必要があるため、ＡＣＫ／ＮＡＣＫの２値の場合と同等の誤り率で伝送するためには送信電力を高くしなければならず、上り回線における周波数利用効率が低下してしまうという課題がある。
【００１３】
本発明はかかる点に鑑みてなされたものであり、適応変調を用いたシステムにＭＬ−ＡＲＱを適用する場合、通信端末装置からパケット品質情報を送信しなくても基地局装置が通信端末装置におけるパケットの受信品質を推定することができる基地局装置及びパケット品質推定方法を提供することを目的とする。
【００１４】
【課題を解決するための手段】
本発明の基地局装置は、パケット送信先の通信端末装置から送信された下り回線状態を示す回線状態報告値を受信する受信手段と、前記回線状態報告値に基づいて前記通信端末装置における前記パケットの受信品質を推定する受信品質推定手段と、を具備する構成を採る。
【００１５】
この構成により、通信端末装置がパケットを受信した時刻に対応する下り回線状態の報告値に基づいて通信端末装置におけるパケットの受信品質を推定することができるので、通信端末装置からパケット品質情報を送信しなくても基地局装置が通信端末装置におけるパケットの受信品質を推定することができる。
【００１６】
本発明の基地局装置は、パケットの送信電力を制御する送信電力制御手段を具備し、前記受信品質推定手段は、推定したパケットの受信品質に基づいて再送時に目標パケット品質を達成するための要求パケット品質を算出し、前記送信電力制御手段は、算出された要求パケット品質に基づいてパケット再送時の送信電力を設定する構成を採る。
【００１７】
この構成により、パケットの受信品質に基づいて再送時に必要な送信電力を決定することができるので、再送時のパケットの送信電力を誤りが生じない必要最低限に抑えることができる。
【００１８】
本発明の基地局装置は、パケット送信チャネルと共通制御チャネルとの送信電力の差からオフセットを算出するオフセット算出手段を具備し、前記受信品質推定手段は、算出されたオフセットを考慮して要求パケット品質を算出する構成を採る。
【００１９】
この構成により、共通制御チャネルとパケット送信チャネルに送信電力差がある場合においても、パケットの受信品質に基づいて再送時に必要な送信電力を決定することができるので、再送時のパケットの送信電力を誤りが生じない必要最低限に抑えることができる。
【００２０】
本発明の基地局装置は、前記受信品質推定手段は、過去に受信した複数の回線状態報告値の平均値に基づいてパケットの受信品質を推定する構成を採る。
【００２１】
この構成により、雑音成分を抑圧して回線状態報告値の信頼度を向上させることができる。
【００２２】
本発明の基地局装置は、前記受信品質推定手段は、過去に受信した複数の回線状態報告値からパケットの受信品質を予測推定する構成を採る。
【００２３】
この構成により、通信端末装置においてパケットを受信すると同時に測定する回線状態の報告値が存在しない場合にもパケット品質の推定を行うことができる。
【００２４】
本発明の基地局装置は、再送時と初回送信時とでターボ符号におけるシステマティックビットとパリティビットの優先度あるいは送信するパリティビットを切替える方式を用いる場合であって、前記受信品質推定手段により推定されたパケットの受信品質に基づいてシステマティックビットとパリティビットのどちらを優先して送信するかを決定する符号化優先度決定手段を具備する構成を採る。
【００２５】
この構成により、符号化利得の向上及び通信端末装置における復号品質の向上を図ることができる。
【００２６】
本発明の基地局装置は、前記符号化優先度決定手段は、システマティックビットが十分な品質で受信された場合にはパリティビットを優先して再送する構成を採る。
【００２７】
この構成により、符号化率が小さくなり、符号化利得を向上させることができる。
【００２８】
本発明の基地局装置は、前記符号化優先度決定手段は、システマティックビットが十分な品質で受信されない場合にはシステマティックビットを優先して再送する構成を採る。
【００２９】
この構成により、システマティックビットの品質が向上し、復号誤りを低減させることができる。
【００３０】
本発明のパケット品質推定方法は、パケット送信先の装置から送信された回線状態を示す回線状態報告値に基づいて前記パケットの受信品質を推定する方法を採る。
【００３１】
この方法により、通信端末装置がパケットを受信した時刻に対応する下り回線状態の報告値に基づいて通信端末装置におけるパケットの受信品質を推定することができるので、通信端末装置からパケット品質情報を送信しなくても基地局装置が通信端末装置におけるパケットの受信品質を推定することができる。
【００３２】
本発明のパケット送信電力制御方法は、上記パケット品質推定方法により推定したパケットの受信品質に基づいて再送時に目標パケット品質を達成するための要求パケット品質を算出し、要求パケット品質に基づいてパケット再送時の送信電力を設定する方法を採る。
【００３３】
この方法により、パケットの受信品質に基づいて再送時に必要な送信電力を決定することができるので、再送時のパケットの送信電力を誤りが生じない必要最低限に抑えることができる。
【００３４】
【発明の実施の形態】
本発明の骨子は、基地局装置において、通信端末装置がパケットを受信した時刻に対応する下り回線状態の報告値に基づいて通信端末装置におけるパケットの受信品質を推定し、再送時に必要な送信電力を決定することである。
【００３５】
以下、本発明の実施の形態について、添付図面を参照して詳細に説明する。なお、以下の説明では、下り高速パケット伝送方式の例として、ＨＳＤＰＡ（ＨｉｇｈＳｐｅｅｄ　Ｄｏｗｎｌｉｎｋ　Ｐａｃｋｅｔ　Ａｃｃｅｓｓ）を用いることとする。ＨＳＤＰＡでは、ＨＳ−ＰＤＳＣＨ（Ｈｉｇｈ　Ｓｐｅｅｄ　−　Ｐｈｙｓｉｃａｌ　Ｄｏｗｎｌｉｎｋ　Ｓｈａｒｅｄ　Ｃｈａｎｎｅｌ）、ＨＳ−ＳＣＣＨ（Ｓｈａｒｅｄ　Ｃｏｎｔｒｏｌ　Ｃｈａｎｎｅｌ　ｏｆ　ＨＳ−ＰＤＳＣＨ）、Ａ−ＤＰＣＨ（Ａｓｓｏｃｉａｔｅｄ−Ｄｅｄｉｃａｔｅｄ　Ｐｈｙｓｉｃａｌ　Ｃｈａｎｎｅｌ　ｆｏｒ　ＨＳ−ＰＤＳＣＨ）等の複数のチャネルが用いられる。
【００３６】
ＨＳ−ＰＤＳＣＨは、パケットの伝送に使用される下り方向の共有チャネルでる。ＨＳ−ＳＣＣＨは、下り方向の共有チャネルであり、リソース割り当てに関する情報（ＴＦＲＩ：Ｔｒａｎｓｐｏｒｔ−ｆｏｒｍａｔ　ａｎｄ　Ｒｅｓｏｕｒｃｅ　ｒｅｌａｔｅｄ　Ｉｎｆｏｒｍａｔｉｏｎ）、Ｈ−ＡＲＱ制御に関する情報等が伝送される。
【００３７】
Ａ−ＤＰＣＨは、上り方向及び下り方向の個別付随チャネルであり、そのチャネル構成やハンドオーバ制御等はＤＰＣＨと変わらない。Ａ−ＤＰＣＨでは、パイロット信号、ＴＰＣコマンド等が伝送され、上り方向では、これらに加えてＡＣＫ／ＮＡＣＫ信号、ＣＱＩ（Ｃｈａｎｎｅｌ　Ｑｕａｌｉｔｙ　Ｉｎｄｉｃａｔｏｒ）信号が伝達される。なお、ＣＱＩ信号は、通信端末装置において復調可能なパケットデータの変調方式及び符号化率を示す信号であり、下り回線状態を報告する報告値の役割を果たす。
【００３８】
（実施の形態１）
図１は、本発明の実施の形態１に係る基地局装置の構成を示すブロック図である。以下、図１の基地局装置１００の各構成部分の作用について説明する。
【００３９】
共用器１０２は、アンテナ１０１に受信された信号を受信ＲＦ部１０３に出力する。また、共用器１０２は、送信ＲＦ部１６６から出力された信号をアンテナ１０１から無線送信する。
【００４０】
受信ＲＦ部１０３は、共用器１０２から出力された無線周波数の受信信号をベースバンドのディジタル信号に変換し、復調部１０４に出力する。
【００４１】
復調部１０４は、無線通信を行う通信端末装置の数だけ用意され、受信ベースバンド信号に対して逆拡散、ＲＡＫＥ合成、誤り訂正復号等の復調処理を行い、分離部１０５に出力する。
【００４２】
分離部１０５は、復調部１０４の出力信号をデータと制御信号とに分離する。分離部１０５にて分離された制御信号には、ＤＬ（Ｄｏｗｎ　Ｌｉｎｋ）用ＴＰＣコマンド、ＣＱＩ信号、ＡＣＫ／ＮＡＣＫ信号等が含まれる。ＣＱＩ信号及びＡＣＫ／ＮＡＣＫ信号はスケジューラ１５１に出力され、ＤＬ用ＴＰＣコマンドは送信電力制御部１５８に出力される。
【００４３】
ＳＩＲ測定部１０６は、無線通信を行う通信端末装置の数だけ用意され、復調の過程で測定される希望波レベル及び干渉波レベルによって上り回線の受信ＳＩＲを測定し、ＳＩＲを示す信号をＴＰＣコマンド生成部１０７に出力する。
【００４４】
ＴＰＣコマンド生成部１０７は、無線通信を行う通信端末装置の数だけ用意され、上り回線の受信ＳＩＲと目標ＳＩＲとの大小関係により、上り回線の送信電力の増減を指示するＵＬ（Ｕｐ　Ｌｉｎｋ）用ＴＰＣコマンドを生成する。
【００４５】
本願発明の特徴部分であるスケジューラ１５１は、パケット伝送用制御信号、各通信端末装置からのＣＱＩ信号、ＡＣＫ／ＮＡＣＫ信号に基づいてパケットを送信する通信端末装置（以下、「送信先装置」という）を決定し、送信先装置及び送信するパケットデータを示す情報をバッファ（Ｑｕｅｕｅ）１５２に出力する。また、スケジューラ１５１は、送信先装置のＣＱＩ信号に基づいて変調方式及び符号化率を決定し、変調部１５３に指示する。また、スケジューラ１５１は、送信先装置からのＡＣＫ／ＮＡＣＫ信号及びＣＱＩ信号に基づいてパケットデータの送信電力を決定し、送信電力を示す信号を送信電力制御部１５４に出力する。また、スケジューラ１５１は、ＨＳ−ＳＣＣＨによって送信先装置に送信する信号（以下、「ＨＳ−ＳＣＣＨ用信号」という）を増幅部１６１に出力する。ＨＳ−ＳＣＣＨ用信号には、パケットデータを送信するタイミング、パケットデータの符号化率及び変調方式等を示す情報（ＴＦＲＩ）が含まれる。なお、スケジューラ１５１の内部構成については後述する。
【００４６】
バッファ１５２は、スケジューラ１５１に指示された送信先装置に対するパケットデータを変調部１５３に出力する。
【００４７】
変調部１５３は、スケジューラ１５１の指示に従ってパケットデータに対して誤り訂正符号化、変調及び拡散を行って増幅部１５５に出力する。
【００４８】
送信電力制御部１５４は、増幅部１５５の増幅量を制御することにより、変調部１５３の出力信号の送信電力をスケジューラ１５１で決定された値となるように制御する。増幅部１５５の出力信号は、ＨＳ−ＰＤＳＣＨで送信される信号であって、多重部１６５に出力される。
【００４９】
多重部１５６は、無線通信を行う通信端末装置の数だけ用意され、各通信端末装置に送信する個別データ（制御信号も含む）にパイロット信号及びＵＬ用ＴＰＣコマンドを多重して変調部１５７に出力する。
【００５０】
変調部１５７は、無線通信を行う通信端末装置の数だけ用意され、多重部１５６の出力信号に対して誤り訂正符号化、変調及び拡散を行って増幅部１５９に出力する。
【００５１】
送信電力制御部１５８は、無線通信を行う通信端末装置の数だけ用意され、ＤＬ用ＴＰＣコマンドに従って増幅部１５９の増幅量を制御することにより、変調部１５７の出力信号の送信電力を制御する。また、送信電力制御部１５８は、送信電力値を示す信号を送信電力制御部１６０に出力する。増幅部１５９にて増幅された信号は、ＤＰＣＨ（Ａ−ＤＰＣＨを含む）で送信される信号であって、多重部１６５に出力される。
【００５２】
送信電力制御部１６０は、送信電力制御部１５８の送信電力値にオフセットをつけた値で増幅部１６１の増幅量を制御することにより、スケジューラ１５１から出力されたＨＳ−ＳＣＣＨ用信号の送信電力を制御する。増幅部１６１にて増幅された信号は、ＨＳ−ＳＣＣＨで送信される信号であって、多重部１６５に出力される。なお、送信電力制御部１６０は、再送状態等によりオフセット値を補正してもよい。
【００５３】
変調部１６２は、共通制御データに対して誤り訂正符号化、変調及び拡散を行って増幅部１６４に出力する。送信電力制御部１６３は、増幅部１６４の増幅量を制御することにより、変調部１６２の出力信号の送信電力を制御する。増幅部１６４の出力信号は、ＣＰＩＣＨ等で送信される信号であって、多重部１６５に出力される。
【００５４】
多重部１６５は、増幅部１５５、増幅部１５９、増幅部１６１及び増幅部１６４の各出力信号を多重し、送信ＲＦ部１６６に出力する。
【００５５】
送信ＲＦ部１６６は、変調部１５９から出力されたベースバンドのディジタル信号を無線周波数の信号に変換して共用器１０２に出力する。
【００５６】
図２は、図１に示した基地局装置と無線通信を行う通信端末装置の構成を示すブロック図である。図２の通信端末装置２００は、基地局装置１００から個別データ、共通制御データ、パケットデータ、ＨＳ−ＳＣＣＨ用信号を受信する。以下、図２の通信端末装置２００の各構成部分の作用について説明する。
【００５７】
共用器２０２は、アンテナ２０１に受信された信号を受信ＲＦ部２０３に出力する。また、共用器２０２は、送信ＲＦ部２５８から出力された信号をアンテナ２０１から無線送信する。
【００５８】
受信ＲＦ部２０３は、共用器２０２から出力された無線周波数の受信信号をベースバンドのディジタル信号に変換し、ＨＳ−ＰＤＳＣＨの信号をバッファ２０４に出力し、ＨＳ−ＳＣＣＨ用信号を復調部２０５に出力し、ＤＰＣＨの信号を復調部２０８に出力し、共通制御チャネルの信号をＣＩＲ（Ｃａｒｒｉｅｒ　ｔｏ　Ｉｎｔｅｒｆｅｒｅｎｃｅ　Ｒａｔｉｏ）測定部２１２にする。
【００５９】
バッファ２０４は、ＨＳ−ＰＤＳＣＨの信号を一時的に保存して復調部２０６に出力する。
【００６０】
復調部２０５は、ＨＳ−ＳＣＣＨ用信号に対して逆拡散、ＲＡＫＥ合成、誤り訂正復号等の復調処理を行い、自局宛パケットデータの到来タイミング、当該パケットデータの符号化率及び変調方式等、パケットデータの復調に必要な情報を取得して復調部２０６に出力する。
【００６１】
復調部２０６は、復調部２０５にて取得された情報に基づいてバッファに保存されているＨＳ−ＰＤＳＣＨの信号に対して逆拡散、ＲＡＫＥ合成、誤り訂正復号等の復調処理を行い、復調処理によって得られたパケットデータを誤り検出部２０７に出力する。
【００６２】
誤り検出部２０７は、復調部２０６から出力されたパケットデータに対して誤り検出を行い、誤りが検出されなかった場合にはＡＣＫ信号を、誤りが検出されなかった場合にはＮＡＣＫ信号を多重部２５１に出力する。
【００６３】
復調部２０８は、ＤＰＣＨの信号に対して逆拡散、ＲＡＫＥ合成、誤り訂正復号等の復調処理を行い、分離部２０９に出力する。
【００６４】
分離部２０９は、復調部２０８の出力信号をデータと制御信号とに分離する。分離部２０９にて分離された制御信号には、ＵＬ用ＴＰＣコマンド等が含まれる。ＵＬ用ＴＰＣコマンドは送信電力制御部２５７に出力される。
【００６５】
ＳＩＲ測定部２１０は、復調の過程で測定される希望波レベル及び干渉波レベルによって下り回線の受信ＳＩＲを測定し、測定した全ての受信ＳＩＲをＴＰＣコマンド生成部２１１に出力する。
【００６６】
ＴＰＣコマンド生成部２１１は、ＳＩＲ測定部２１０から出力された受信ＳＩＲと目標ＳＩＲとの大小関係によりＤＬ用ＴＰＣコマンドを生成し、多重部２５４に出力する。
【００６７】
ＣＩＲ測定部２１２は、基地局装置からの共通制御チャネルの信号を用いてＣＩＲを測定し、測定結果をＣＱＩ生成部２１３に出力する。ＣＱＩ生成部２１３は、基地局装置から送信された信号のＣＩＲに基づくＣＱＩ信号を生成して多重部２５１に出力する。
【００６８】
多重部２５１は、ＣＱＩ信号及びＡＣＫ／ＮＡＣＫ信号を多重して変調部２５２に出力する。変調部２５２は、多重部２５１の出力信号に対して誤り訂正符号化、変調及び拡散を行って多重部２５６に出力する。
【００６９】
変調部２５３は、基地局装置１００に送信するデータに対して誤り訂正符号化、変調及び拡散を行って多重部２５６に出力する。
【００７０】
多重部２５４は、ＤＬ用ＴＰＣコマンド、パイロット信号を多重して変調部２５５に出力する。変調部２５５は、多重部２５４の出力信号に対して誤り訂正符号化、変調及び拡散を行って多重部２５６に出力する。
【００７１】
多重部２５６は、変調部２５２、変調部２５３及び変調部２５５の各出力信号を多重し、送信ＲＦ部２５８に出力する。
【００７２】
送信電力制御部２５７は、ＵＬ用ＴＰＣコマンドに従って送信ＲＦ部２５８の増幅量を制御することにより、多重部２５６の出力信号の送信電力を制御する。なお、複数の基地局装置と接続している場合、送信電力制御部２５７は、全てのＵＬ用ＴＰＣコマンドが送信電力の上昇を指示する場合のみ送信電力を上昇させる制御を行う。
【００７３】
送信ＲＦ部２５８は、多重部２５６から出力されたベースバンドのディジタル信号を増幅し、無線周波数の信号に変換して共用器１０２に出力する。
【００７４】
次に、基地局装置１００のスケジューラ１５１の内部構成について図３を用いて説明する。
【００７５】
スケジューラ１５１は、送信先決定部３０１と、ＭＣＳ決定部３０２と、パケット品質推定部３０３と、送信電力決定部３０４と、ＨＳ−ＳＣＣＨ用信号生成部３０５とから主に構成される。
【００７６】
送信先決定部３０１は、パケット伝送用制御信号よりパケットを送信する候補となる各通信端末装置を選択し、選択した各通信端末装置からのＣＱＩ信号に基づいて送信先装置を決定する。例えば、ＣＱＩ信号に基づいて受信品質が最も良い通信端末装置を送信先装置として決定する。そして、送信先決定部３０１は、送信先装置を示す情報をバッファ１５２、ＭＣＳ決定部３０２、パケット品質推定部３０３及びＨＳ−ＳＣＣＨ用信号生成部３０５に出力する。また、送信先決定部３０１は、ＡＣＫ信号を入力した場合には新しいデータを送信するように、ＮＡＣＫ信号を入力した場合には前回送信したデータを再送するようにバッファ１５２に指示する。
【００７７】
ＭＣＳ決定部３０２は、送信先装置のＣＱＩ信号に基づいてＭＣＳ選択（変調方式及び符号化率の決定）を行い、変調部１５３に指示する。
【００７８】
パケット品質推定部３０３は、ＣＱＩ信号に基づいて送信先装置における受信パケットの品質を推定し、推定結果に基づいて再送時に目標パケット品質を達成するための要求パケット品質を算出して送信電力決定部３０４に出力する。
【００７９】
送信電力決定部３０４は、送信先装置からＡＣＫ信号を受信した場合には送信電力を所定値に設定し、ＮＡＣＫ信号を受信した場合に要求パケット品質を満たすように送信電力を決定する。そして、送信電力決定部３０４は、決定した送信電力を示す信号を送信電力制御部１５４に出力する。
【００８０】
ＨＳ−ＳＣＣＨ用信号生成部３０５は、送信先装置用のＨＳ−ＳＣＣＨ用信号を生成し、増幅部１６１に出力する。
【００８１】
次に、図４のシーケンス図を用いて、本実施の形態に係る基地局装置と通信端末装置の通信手順を説明する。
【００８２】
まず、基地局装置は、通信端末装置から定期的に送信される下り回線状態報告値（ＣＱＩ信号）を受信し（Ｆ４０１）、ＭＣＳ選択（変調方式および符号化方式の選択）を行う（Ｆ４０２）。次に、基地局装置は、選択したＭＣＳを適用してパケット＿ｉ（ｉは自然数）を送信する（Ｆ４０３）。
【００８３】
通信端末装置は、受信したパケット＿ｉを復号し（Ｆ４０４）、誤りが検出されなければＡＣＫ信号を、誤りが検出されればＮＡＣＫ信号を送信する（Ｆ４０５）。また、通信端末装置は、基地局装置にＣＱＩ信号を送信する（Ｆ４０６）。
【００８４】
上記Ｆ４０４において通信端末装置がＮＡＣＫ信号を送信したとすると、基地局装置は、通信端末装置がパケット＿ｉを受信した時刻に対応するＣＱＩ信号に基づいてパケット＿ｉの受信品質を推定し、さらに要求パケット品質を推定する（Ｆ４０７）。そして、基地局装置は、要求パケット品質に基づいて再送時の送信電力を決定し（Ｆ４０８）、パケット＿ｉを再送する（Ｆ４０９）。
【００８５】
次に、図５及び数式を用いて本実施の形態の基地局装置と通信端末装置の具体的な動作例を説明する。
【００８６】
なお、以下の説明において、通信端末装置はＣＱＩ信号を１フレーム毎に送信するものとする。また、基地局装置はパケットを２フレーム毎に送信し、通信端末装置はＡＣＫ／ＮＡＣＫ信号を２フレーム毎に送信し、基地局装置のパケットの送信と通信端末装置のＡＣＫ／ＮＡＣＫ信号の送信は交互に異なるフレームで行われるものとする。
【００８７】
また、下り回線状態を示す指標としてＣＩＲを用いる。また、Ｈ−ＡＲＱにおいて、基地局装置はパケットを初回送信時および再送時に関わらず同一のＭＣＳで送信するものとし、通信端末装置での合成方法はＣＩＲの真値の和で受信品質が決まるチェイスコンバイニング方式を用いるものとする。
【００８８】
なお、ＣＩＲ＿ｃｑｉ（ｋ）はフレーム＿ｋで送信されたＣＱＩ信号における真値のＣＩＲを、Ｐ＿ｐａｃｋｅｔ（ｋ）はフレーム＿ｋで送信されたパケットの送信電力を示す。
【００８９】
［フレーム＿０］
通信端末装置は、ＣＱＩ信号でＣＩＲ＿ｃｑｉ（０）を送信する。基地局装置は、受信したＣＩＲ＿ｃｑｉ（０）からＭＣＳ選択を行い、パケット＿ｉをＰ＿ｐａｃｋｅｔ（０）の電力で送信する。通信端末装置は、パケット＿ｉを受信するとともにフレーム＿１に送信するＣＱＩ信号のための回線状態測定を行う。
【００９０】
［フレーム＿１］
通信端末装置は、受信したパケット＿ｉの復号を行う。その結果、復号結果に誤りがあったとするとＮＡＣＫ信号を送信する。また、通信端末装置は、前フレーム＿０で測定したＣＩＲ＿ｃｑｉ（１）をＣＱＩ信号で送信する。基地局装置は、通信端末装置においてパケット＿ｉが受信された際の回線状態を示すＣＩＲ＿ｃｑｉ（１）からパケット品質を推定する。ここで、パイロットチャネルの送信電力とパケットの初回送信電力は等しいと仮定しているため、パケット品質ＣＩＲ＿ｐａｃｋｅｔ（０）は、下記の式（１）により求められる。
【００９１】
ＣＩＲ＿ｐａｃｋｅｔ（０）　＝　ＣＩＲ＿ｃｑｉ（１）　　　　　　　　　　　　　　・・・（１）
次に、基地局装置は、要求パケット品質を求める。まず、目標パケット品質ＣＩＲ＿ｔａｒｇｅｔ（０）が下記の式（２）により求められる。
【００９２】
ＣＩＲ＿ｔａｒｇｅｔ（０）　＝　ＣＩＲ＿ｃｑｉ（０）　　　　　　　　　　　　　　・・・（２）
ここで、再送時の要求パケット品質はフレーム＿０で通信端末装置が受信したパケットの不足分と考えることができ、要求パケット品質（＝不足分）ＣＩＲ＿ｓｈｏｒｔａｇｅ（０）は、下記の式（３）により求められる。
【００９３】
2004112597.tif 000003
その後、基地局装置は、ＮＡＣＫ信号によりパケット＿ｉの再送の必要性を認識する。
【００９４】
［フレーム＿２］
基地局装置は、ＣＱＩ信号を受信して回線状態がＣＩＲ＿ｃｑｉ（２）であることを知る。そして、フレーム＿０時点での回線状態とフレーム＿２での回線状態におけるロスの差分ＣＩＲ＿ｌｏｓｓ（２）を下記の式（４）により計算する。
【００９５】
ＣＩＲ＿ｌｏｓｓ（２）　＝　ＣＩＲ＿ｃｑｉ（０）　／　ＣＩＲ＿ｃｑｉ（２）　　　　　　　　　　　　　　　　　　・・・（４）
次に、基地局装置は再送時送信電力Ｐ＿ｐａｃｋｅｔ（２）を決定する。必要とされる再送時送信電力は、通信端末装置における初回受信時に不足した電力に現在の回線ロスを考慮すればよいことから、下記の式（５）により計算することができる。
【００９６】
2004112597.tif 000004
このように、本実施の形態によれば、通信端末装置がパケットを受信した時刻に対応する下り回線状態の報告値に基づいて通信端末装置におけるパケットの受信品質を推定することができるので、通信端末装置からパケット品質情報を送信しなくても基地局装置が通信端末装置におけるパケットの受信品質を推定することができる。さらに、パケットの受信品質に基づいて再送時に必要な送信電力を決定することができるので、再送時のパケットの送信電力を誤りが生じない必要最低限に抑えることができる。
【００９７】
なお、スケジューラ１５１が、ＣＱＩ信号を平均化することにより雑音成分を抑圧してＣＱＩ信号の信頼度を向上させることができる。
【００９８】
また、スケジューラ１５１が、過去に受信したＣＱＩ信号から予測を行うことにより、通信端末装置においてパケットを受信すると同時に測定するＣＱＩ信号が存在しない場合にもパケット品質の推定を行うことができる。
【００９９】
（実施の形態２）
ここで、パケット送信チャネル（ＨＳ−ＰＤＳＣＨ等）の送信電力が、共通制御チャネルと異なる場合には目標パケット品質にオフセットをつけることが有効である。
【０１００】
実施の形態２では、この目標パケット品質にオフセットをつける場合について説明する。図６は、本実施の形態に係る基地局装置のスケジューラの内部構成を示すブロック図であり、図３と比較して、オフセット算出部６０１を追加した構成を採る。
【０１０１】
オフセット算出部６０１は、送信電力制御部１６３より共通制御チャネルの送信電力を入力し、パケット送信チャネルと共通制御チャネルとの送信電力差からオフセットを算出し、オフセットをパケット品質推定部３０３に出力する。
【０１０２】
パケット品質推定部３０３は、送信先装置からＮＡＣＫ信号を受信した場合にＣＱＩ信号に基づいて受信パケットの品質を推定し、オフセットをつけて要求パケット品質を算出する。
【０１０３】
以下、数式を用いて具体的に説明する。フレーム＿０におけるパケットの送信電力をＰ＿ｐａｃｋｅｔ（０）とし、共通制御チャネルの送信電力をＰ＿ｐｉｌｏｔとすると、フレーム＿０におけるパケットと共通制御チャネルのオフセットＯｆｆｓｅｔ（０）は、以下の下記の式（６）により計算され、パケット品質ＣＩＲ＿ｐａｃｋｅｔ（０）は、以下の下記の式（７）により計算される。
【０１０４】
Ｏｆｆｓｅｔ（０）　＝　Ｐ＿ｐａｃｋｅｔ（０）　／　Ｐ＿ｐｉｌｏｔ　　　　　　　　　　　　　　　　　　　　　　・・・（６）
ＣＩＲ＿ｐａｃｋｅｔ（０）　＝　ＣＩＲ＿ｃｑｉ（１）　＊　Ｏｆｆｓｅｔ（０）　　　　　　　　　・・・（７）
従って、目標パケット品質ＣＩＲ＿ｔａｒｇｅｔ（０）は、以下の下記の式（８）により計算され、要求パケット品質ＣＩＲ＿ｓｈｏｒｔａｇｅ（０）は以下の下記の式（９）により計算される。
【０１０５】
2004112597.tif 000005
このように、本実施の形態によれば、オフセットをつけることにより、共通制御チャネルとパケット送信チャネルに送信電力差がある場合においても、パケットの受信品質に基づいて再送時に必要な送信電力を決定することができるので、再送時のパケットの送信電力を誤りが生じない必要最低限に抑えることができる。
【０１０６】
（実施の形態３）
実施の形態３では、再送時と初回送信時とでターボ符号におけるシステマティックビットとパリティビットの優先度あるいは送信するパリティビットを切替えるインクリメンタル・リダンダンシーと呼ばれる方式を用いる場合に、送信する符号化ビットを受信パケット品質に基づいて決定する場合について説明する。
【０１０７】
図７は、本実施の形態に係る基地局装置のスケジューラの内部構成を示すブロック図であり、図３と比較して、符号化優先度決定部７０１を追加した構成を採る。
【０１０８】
符号化優先度決定部７０１は、ターボ符号におけるシステマティックビットとパリティビットのどちらを優先して送信するかをＭＣＳ決定部３０２に指示する。符号化優先度の決定方法として以下の２つが考えられる。
【０１０９】
（１）システマティックビットが十分な品質で受信された場合にはパリティビットを優先して再送する。パリティビットを優先することにより符号化率が小さくなり、符号化利得を向上させることができる。
【０１１０】
（２）システマティックビットが十分な品質で受信されない場合にはシステマティックビットを優先して再送する。システマティックビットを優先することによりシステマティックビットの品質が向上し、復号誤りを低減させることができる。
【０１１１】
このように、送信する符号化ビットを受信パケット品質に基づいて決定することにより、符号化利得の向上及び通信端末装置における復号品質の向上を図ることができる。
【０１１２】
【発明の効果】
以上説明したように、本発明によれば、通信端末装置がパケットを受信した時刻に対応する下り回線状態の報告値に基づいて通信端末装置におけるパケットの受信品質を推定することができるので、通信端末装置からパケット品質情報を送信しなくても基地局装置が通信端末装置におけるパケットの受信品質を推定することができる。さらに、パケットの受信品質に基づいて再送時に必要な送信電力を決定することができるので、再送時のパケットの送信電力を誤りが生じない必要最低限に抑えることができる。
【図面の簡単な説明】
【図１】本発明の実施の形態１に係る基地局装置の構成を示すブロック図
【図２】上記実施の形態に係る基地局装置と無線通信を行う通信端末装置の構成を示すブロック図
【図３】上記実施の形態に係る基地局装置のスケジューラの内部構成を示すブロック図
【図４】上記実施の形態に係る基地局装置と通信端末装置との通信手順を示すシーケンス図
【図５】上記実施の形態に係る基地局装置と通信端末装置の具体的な動作例を説明するための図
【図６】本発明の実施の形態２に係る基地局装置のスケジューラの内部構成を示すブロック図
【図７】本発明の実施の形態３に係る基地局装置のスケジューラの内部構成を示すブロック図
【符号の説明】
１５１　スケジューラ
１５２　バッファ
１５３　変調部
１５４　送信電力制御部
３０１　送信先決定部
３０２　ＭＣＳ決定部
３０３　パケット品質推定部
３０４　送信電力決定部
６０１　オフセット算出部
７０１　符号化優先度決定部
【図１】
2004112597.tif 000006
【図２】
2004112597.tif 000007
【図３】
2004112597.tif 000008
【図４】
2004112597.tif 000009
【図５】
2004112597.tif 000010
【図６】
2004112597.tif 000011
【図７】
2004112597.tif 000012